(57)【要約】【課題】本発明はデジタルスチルカメラ等の撮影装置におけるユーザーの操作性を向上させることことができる。【解決手段】複数の機能を有するデジタルスチルカメラにおいて、前記複数の機能のいずれかを選択するタッチパネル２２と、前記第１の操作手段とは独立して設けられ前記複数の機能のいずれかを十字キー１９とを具備し、タッチパネル２２並びに十字キー１９のいずれからも前記複数の機能のいずれかの選択を可能とする。【選択図】　　図２
2004032346.tif 000002
【特許請求の範囲】
【請求項１】
複数の機能を有する画像撮影装置において、
前記複数の機能のいずれかを選択する第１の操作手段と、
前記第１の操作手段とは独立して設けられ前記複数の機能のいずれかを選択する第２の操作手段とを具備し、第１の操作手段並びに第２の操作手段のいずれからも前記複数の機能のいずれかの選択を可能とした画像撮影装置。
【請求項２】
前記表示部に撮影した画像のサムネール表示を行う画像撮影装置において、サムネール表示した複数の画像中の特定の画像の選択を前記第１の操作手段並びに前記第２の操作手段のいずれからも前記複数の機能のいずれかの選択を可能とした請求項２に記載の画像撮影装置。
【請求項３】
複数の機能のうち選択可能な項目の表示を前記表示部に行う画像撮影装置において、表示した複数の項目中の特定の項目の選択を前記第１の操作手段並びに前記第２の操作手段のいずれからも前記複数の機能のいずれかの選択を可能とした請求項１に記載の画像撮影装置。
【請求項４】
複数の機能を有する画像撮影装置において、
前記複数の機能のいずれかを選択する第１の操作手段と、
撮影画像を表示するための表示部と、
この表示部の前面に設けられ前記複数の機能のいずれかを選択するタッチパネルとを具備し、前記第１の操作手段並びに前記タッチパネルのいずれからも前記複数の機能のいずれかの選択を可能とした画像撮影装置。
【請求項５】
前記表示部に撮影した画像のサムネール表示を行う画像撮影装置において、サムネール表示した複数の画像中の特定の画像の選択を前記第１の操作手段並びに前記タッチパネルのいずれからも前記複数の機能のいずれかの選択を可能とした請求項４に記載の画像撮影装置。
【請求項６】
複数の機能のうち選択可能な項目の表示を前記表示部に行う画像撮影装置において、表示した複数の項目中の特定の項目の選択を前記第１の操作手段並びに前記タッチパネルのいずれからも前記複数の機能のいずれかの選択を可能とした請求項４に記載の画像撮影装置。
【発明の詳細な説明】
【０００１】
【発明の属する技術分野】
本発明はデジタルカメラ等のユーザインタフェースを有する撮像装置に関するものである。
【０００２】
【従来の技術】
従来のデジタルカメラの操作手段は、その大半が十字キーと複数のキーからなるボタン群により行われるように構成されている。このようにボタン群を主な操作手段としているデジタルカメラにおいては、使用頻度の高い機能、例えばシャッターや電源、ストロボ、セルフタイマー設定などについては、それぞれ独立したボタンを割り振り、容易に各機能の実行あるいは設定変更を行えるようにすることでユーザーにとっての操作性を向上させている。
【０００３】
また、近年、一部にタッチパネルを採用したデジタルカメラが販売されており、このようなデジタルカメラにおいては、複数の項目から特定の項目を選択して設定を変更するような場合、この操作をタッチパネル上で行うことで、項目の選択をボタン群で行う操作を省略すしユーザーにとっての操作性を向上させることが可能となる。
【０００４】
しかしながら、上記した従来技術では一般にある機能についてはタッチパネルやボタン群に代表される複数の操作手段のうち最適であると想定される一つの操作手段しか用意されない。この場合には前記一つの操作手段が個々のユーザーにとって直感的に想像される操作手段とは限らず、ユーザーにおいてはどちらの操作手段がユーザーの操作しようとしている機能に対応しているのかを予め覚えていなくてはならないこととなる。
【０００５】
タッチパネルとともにボタン群を使用するデジタルカメラとして、例えば特開昭１１−２５２４２７号に示される装置がある。この装置においては、デジタルカメラの表示部にタッチパネルが配設され、表示部の画面上で撮影者が主被写体をタッチすることによってレリーズ（画像の記録）が行われるとともに、このタッチパネルからのレリーズ指示と、レリーズボタンによるレリーズ指示の両方の指示が可能とされている。
【０００６】
しかしながら、この特開昭１１−２５２４２７号に示された装置は、レリーズ指示のみがレリーズボタンとタッチパネルの双方から可能であるものの、その他の操作、例えば撮影モードの設定は、タッチパネルからしか行えない。
【０００７】
従って、十字キーによる操作になじんでいるユーザーにとってはタッチパネルからの操作を煩わしいと感じる場合もあった。
【０００８】
さらに、各種モードの設定がタッチパネルからしか行えない場合には、このタッチパネルが故障すると、各種モードの設定や変更が行えなくなってしまうという問題が発生する。
【０００９】
【発明が解決しようとする課題】
本発明は上述したような問題を解決するためになされたものであり、デジタルカメラ等の撮影装置においてユーザーの操作性を向上させることを目的とするものである。
【００１０】
【課題を解決するための手段】本発明は上記課題を解決するために、複数の機能を有する画像撮影装置において、前記複数の機能のいずれかを選択する第１の操作手段と、前記第１の操作手段とは独立して設けられ前記複数の機能のいずれかを第２の操作手段とを具備し、第１の操作手段並びに第２の操作手段のいずれからも前記複数の機能のいずれかの選択を可能としたものである。
【００１１】
【発明の実施の形態】
以下、この発明の実施の形態について、図面を参照して詳細に説明する。図１は、この実施の形態で説明するデジタルスチルカメラ１０の外観を、正面側から見た状態を示している。
【００１２】
すなわち、このデジタルスチルカメラ１０には、撮像レンズ１１、ファインダ窓１２、レリーズスイッチ１３及び内蔵ストロボ１４等が、それぞれ所定位置に配置されている。
【００１３】
また、このデジタルスチルカメラ１０には、その一方の側面に、メモリカードスロット部１５が設けられている。このメモリカードスロット部１５には、メモリカード１６が装着される。
【００１４】
このメモリカード１６は、例えばＩＣ（Ｉｎｔｅｇｒａｔｅｄ　Ｃｉｒｃｕｉｔ）化された半導体メモリチップや強誘電体メモリチップ等でなるメモリを、カード状ケース内に収容したものである。
【００１５】
そして、このデジタルスチルカメラ１０は、撮影して得られたデジタル画像データを、メモリカードスロット部１５に装着されたメモリカード１６のメモリに対して、記録再生することができる。
【００１６】
また、このデジタルスチルカメラ１０は、メモリカード１６からデジタル画像データを読み出す制御や、逆に、メモリカード１６に画像データを書き込む制御等を行うことができる。
【００１７】
図２は、図１に示したデジタルスチルカメラ１０の外観を、背面側から見た状態を示している。
【００１８】
デジタルスチルカメラ１０にはファインダー１７、ズームを調節するズームキー１８、操作項目や画像の選択、決定を行う十字キー１９、押すごとに被写体を撮影する撮影モードと撮影した画像をＬＣＤモニタ２１に表示する再生モードとの切り替えを行うモード切替キー２０、画像の表示並びにメニュー画面、文字やアイコンの表示を行うＬＣＤモニタ２１、ＬＣＤモニタ２１に表示された画像、アイコン、メニュー項目に触れることにより選択を行うタッチパネル２２が設けられている。そして、ＬＣＤモニタ２１とタッチパネル２２とによりタッチパネル付ＬＣＤモニタ２３が構成されている。
【００１９】
尚、上記の十字キー１９は上下左右の十字ボタンのうち目的方向のボタンを押すことにより項目や画像を選択し、中央部のＥＮＴＥＲボタンを押すことにより選択を決定する。
【００２０】
図３は、図１並びに図２に示したデジタルスチルカメラ１０の外観を、上方から見た状態を示す平面図であり、前記ＬＣＤモニタ２１をオンしていない状態であっても、本体の状態を表示するための液晶表示部２４が設けられている。
【００２１】
次に、図４は、上記デジタルスチルカメラ１０の信号処理系を示している。
【００２２】
すなわち、前記撮像レンズ１１を介して入射された被写体の光学像は、ＣＣＤ（Ｃｈａｒｇｅ　Ｃｏｕｐｌｅｄ　Ｄｅｖｉｃｅ）３１に結像されて光電変換される。
【００２３】
そして、このＣＣＤ３１から出力されるアナログの画像信号は、Ａ／Ｄ（ａｎａｌｏｇｕｅ／Ｄｉｇｉｔａｌ）変換回路３２に供給されてデジタル画像データに変換された後、ＣＣＤ信号処理回路３３に供給される。
【００２４】
このＣＣＤ信号処理回路３３は、入力されたデジタル画像データに所定の信号処理を施すことにより、該デジタル画像データを輝度信号成分と色差信号成分とに変換している。
【００２５】
そして、このＣＣＤ信号処理回路３３から得られる輝度信号成分及び色差信号成分のデジタル画像データは、メモリコントローラ３４を介してワークメモリ３５に書き込まれる。
【００２６】
ここにおいて、ワークメモリ３５に記録されたデジタル画像データは、メモリコントローラ３４を介して画像表示処理回路３６に読み出され、所定の画像表示用の処理が施されることにより、アナログの画像信号に変換される。
【００２７】
その後、この画像表示処理回路３６から出力されたアナログの画像信号は、ＬＣＤモニタ２１、若しくは、ファインダー１７に供給されて画像表示される。
【００２８】
また、上記ＣＣＤ信号処理回路３３から出力されるデジタル画像データは、メモリコントローラ３４を介して画像圧縮伸張処理回路３７に入力され、所定の圧縮処理を施すこともできる。
【００２９】
そして、この画像圧縮伸張処理回路３７により圧縮処理が施されたデジタル画像データを、上記メモリコントローラ３４を介してワークメモリ３５に書き込むこともできる。
【００３０】
この場合、ワークメモリ３５に記録されたデジタル画像データは、メモリコントローラ３４を介して画像圧縮伸張処理回路３７に導かれ、所定の伸張処理が施されて元のデジタル画像データに戻される。
【００３１】
そして、この画像圧縮伸張処理回路３７により伸張処理が施されたデジタル画像データを、メモリコントローラ３４及び画像表示処理回路３６を介してＬＣＤモニタ２１、若しくは、ファインダー１７に導き画像表示させることもできる。
【００３２】
上記のような一連の処理動作は、上記レリーズスイッチ１３を含む操作部３８からの操作情報を受けて動作するＣＰＵ（Ｃｅｎｔｒａｌ　Ｐｒｏｃｅｓｓｉｎｇ　Ｕｎｉｔ）３９によって、統括的に制御されている。さらに、ＣＰＵ３９は操作部３８からの操作情報のみならず、上記タッチパネル２２からの操作情報を受けても動作するようになっている。
【００３３】
そして、上記したメモリカード１６のメモリに対するデジタル画像データの記録再生動作も、上記ＣＰＵ３９によって統括的に制御されている。
【００３４】
つまり、上記ＣＣＤ信号処理回路３３から出力されるデジタル画像データは、メモリコントローラ３４を介して画像圧縮伸張処理回路３７に供給されて圧縮処理が施される。
【００３５】
そして、この圧縮処理されたデジタル画像データは、メモリコントローラ３４を介してワークメモリ３５に一旦記録される。その後、ワークメモリ３５から読み出されたデジタル画像データは、メモリコントローラ３４及びＣＰＵ３９を介してメモリカードスロット部１５に導かれ、メモリカード１６のメモリに記録される。
【００３６】
このメモリカード１６のメモリに記録されたデジタル画像データは、メモリカードスロット部１５により読み出され、ＣＰＵ３９及びメモリコントローラ３４を介した後、ワークメモリ３５に一旦記録される。
【００３７】
その後、ワークメモリ３５から読み出されたデジタル画像データは、画像圧縮伸張処理回路３７に導かれて伸張処理が施されることにより、元のデジタル画像データに戻される。
【００３８】
そして、この画像圧縮伸張処理回路３７により伸張処理が施されたデジタル画像データが、メモリコントローラ３４及び画像表示処理回路３６を介して画像表示装置２６に導かれＬＣＤモニタ２１、若しくは、ファインダー１７に画像表示される。
【００３９】
また、上記ＣＣＤ信号処理回路３３から出力され、メモリコントローラ３４を介して画像圧縮伸張処理回路３７により圧縮処理が施されたデジタル画像データは、メモリコントローラ３４を介してワークメモリ３５に一旦記録される。
【００４０】
次に図５はデジタルスチルカメラ１０の操作部分を説明するための図であり、デジタルスチルカメラ１０上述した十字キー１９、モード切替キー２０、ＬＣＤモニタ２１、タッチパネル２２の他に画面上の文字やアイコンの表示／非表示を切り換えるために使用されるＯＳＤキー５１、撮影メニュー，再生メニュー，セットアップメニューの選択画面を表示するために使用されるメニューキー５２、画像の消去を指示するごみ箱キー５３の３つの専用キーが設けられている。
【００４１】
次に上記ＯＳＤキー５１、メニューキー５２による操作を図６のフローチャートに基づき説明する。
【００４２】
デジタルスチルカメラ１０の待機状態においていずれかのキーが操作されると、ＣＰＵ３９はメニューキーが操作されたかが判断される（ＳＴ１）。メニューキーが操作された場合、ＣＰＵ３９は撮影メニュー，再生メニュー，セットアップメニューの選択画面を表示する（ＳＴ２）。
【００４３】
メニューの選択画面が表示されている状態でユーザーは撮影メニュー，再生メニュー，セットアップメニューの項目の何れかをタッチすることによりメニュー選択が行われる。このためＣＰＵ３９はタッチパネルが操作されたかを判断し（ＳＴ３）、タッチパネルが操作された場合には、操作された位置の情報を検出する（ＳＴ４）。そして、撮影メニュー，再生メニュー，セットアップメニューのうちタッチパネルが操作された位置に対応したメニューの処理が行われる（ＳＴ５）。尚、ここで、ユーザーは撮影メニュー，再生メニュー，セットアップメニューの項目の選択は、タッチパネル２２による選択のみならず、十字キーで項目を選択し十字エンターキーで決定することも可能である。従って、タッチパネルが操作されない場合は、他のキー、例えば十字キーやエンターキーが操作されたかが判断される。
【００４４】
また、ＣＰＵ３９はＯＳＤキー５１が操作されたかを判断し（ＳＴ６）、ＯＳＤキー５１が操作された場合には、ＬＣＤモニタ２１の画面上における文字やアイコンの表示／非表示を切り換える（ＳＴ７）。即ち、文字やアイコンが表示されていれば非表示に切り換え、文字やアイコンが非表示であれば表示する。
【００４５】
ＣＰＵ３９はモードキー２０が操作されたかを判断し（ＳＴ８）、モードキー２０が操作された場合には、現在が撮影モードであるか否かが判断される（ＳＴ９）。現在が撮影モードであるばあいには再生モードへ切り換える（ＳＴ１０）。又、現在が撮影モードで無い場合（再生モードの場合）には撮影モードへ切り換える（ＳＴ１１）。
【００４６】
図７は上記モードキー２０による撮影モードと再生モードの切り換え状態を示す図である。
【００４７】
即ち、図７の上段は撮影モードの状態を示しており、ＣＣＤ３１により撮影されている画像がＬＣＤモニタ２１に表示されている。この状態でモードキー２０を操作することにより、再生モードの状態に移行する。即ち、図７の中段に示すようにメモリカードスロット部１５に装着されたメモリカード１６から読み出された画像がＬＣＤモニタ２１に表示される。
【００４８】
そして、この再生モードにおいて、ＯＳＤキー５１が操作されると、サムネイルアイコン６１と、スクロールバー６２が表示される。サムネイルアイコン６１は複数の画像がある場合の画像の一覧表示を指示するアイコンであり、スクロールバー６２は矢印部分をタッチすることにより前後の画像を表示するためのものである。
【００４９】
そして、ユーザーが上記サムネイルアイコン６１をタッチした場合、又は十字キー１９の下キーを押下した場合（十字キー１９を優先的に使用する設定ではサムネールアイコン６１を表示しなくても良い）には、図７の下段に示すようにメモリカード１６から読み出された画像の一覧がＬＣＤモニタ２１に表示される。画像が６枚を越える場合にはスクロールバー６２が表示され、矢印部分をタッチすること、又は十字キー１９の上下キーを押下することにより画面をスクロールし前後の画像を表示することが可能となる。
【００５０】
次に、デジタルカメラ１０にてメモリーカード１６に保存された複数の画像の中から特定の画像を選択し、ＬＣＤモニタ２１の画面全体に表示する動作を図８乃至図１１により説明する。
【００５１】
図８はメモリカード１６から読み出された画像がサムネイル表示されている状態を示しており、図８の状態では画像選択枠Ｓにより囲われた画像Ｃのサムネイル画像が選択されている状態である。ここで、十字キー１９のうち上キーを押すことで図９に示すように画像選択枠Ｓが隣接する画像Ａのサムネイル画像の位置に移動し、画像Ａのサムネイル画像が選択された状態となる。この状態で十字キー１９の中央に配されたＥＮＴＥＲキーを押すと、図１０に示すように、画像ＡがＬＣＤモニタ２１の画面全体に表示される。
【００５２】
複数の画像の中から特定の画像を選択し、ＬＣＤモニタ２１に全画面で表示する際には、前述した十字キー１９を使用する他に、タッチパネル２２を用いて同様の動作を実行することが可能である。即ち、図１１に示すように、画像選択枠により囲われた画像Ｃのサムネイル画像が選択されている状態であっても、ユーザーが画像Ａのサムネイル画像の接触ポイントＰにタッチした場合には、画像Ａが選択され、図１０に示すように、画像ＡがＬＣＤモニタ２１の画面全体に表示される。
【００５３】
図１０に示すように、画像がＬＣＤモニタ２１の画面全体に表示されている状態では、ＯＳＤキー５１が操作されると、前述のサムネイルアイコン６１が表示され、サムネイルアイコン６１にタッチするか、又は、十字キー１９の下キーを押下することにより、図１１のサムネイル表示状態へ戻ることが可能である。
【００５４】
画像を削除する場合には、削除する画像を選択しＬＣＤモニタ２１に表示した状態でごみ箱キー５３を押すことにより削除を指示する。ごみ箱キー５３が押されると、図１２に示すようにＬＣＤモニタ２１の画面中央に「このファイルを削除しますか？」と表示し、ユーザーに確認を求める。この確認画面の状態で、ユーザーがごみ箱キー５３を押すと当該画像のファイルは削除され、ごみ箱キー５３以外の他のキーが押された場合には画像は削除されず、図１１の画像表示の状態に戻る。
【００５５】
上記のメニューキー５２はメニューモードとメニューモードに入る前のモードの切り替え、ごみ箱キー５３は撮影画像の消去モードと消去モードに入る前のモードの切り替えを行う。
【００５６】
上記モードや表示の切替機能はユーザーの使用頻度が高いため、各機能に対応したキーを予め用意し、ユーザーがより少ないアクションで各機能を実行できるようにすることで操作性を向上させている。
【００５７】
次にシーンモードの設定について図１３のフローチャートに基づき説明する。
【００５８】
上記モードキー２０により撮影モードが選択された状態で、ＯＳＤキー５１が操作されると（ＳＴ２１）、ＣＰＵ２３は撮影インフォメーションをＬＣＤモニタ２１に表示する（ＳＴ２２）。図１３のステップ（ＳＴ２２）に示した表示例では、撮影可能枚数「００１２」と共に、ＬＣＤモニタ２１の右側上方から順に、シーンモードアイコン、ストロボアイコン、セルフタイマーアイコンの３つのアイコンが表示される。
【００５９】
ここで、ＬＣＤモニタ２１上のシーンモードアイコン、ストロボアイコン、セルフタイマーアイコンのいずれかをタッチして決定する（タッチパネル２２を操作する）か、十字キー１９により何れかを選択し、十字エンターキーで決定する。ＣＰＵ２３はシーンモードアイコンが決定されたか（ＳＴ２３）、ストロボアイコンが決定されたか（ＳＴ２４）、セルフタイマーアイコンが選択されたか（ＳＴ２５）が判断される。
【００６０】
シーンモードアイコンが選択決定された場合には（ＳＴ２３）、ＣＰＵ２３はシーンモードアイコンの一覧を表示する（ＳＴ２６）。
【００６１】
即ち、図１３のステップ２６に示した表示例では、ＬＣＤモニタ２１の中央上方から順に、オート（初期設定のオートモード）、マクロ（距離が２０ｃｍから４０ｃｍの被写体を撮影したいときに選択する）、ポートレート（人物を撮影したいときに選択する）、風景（遠くの景色や風景を撮影したいときに選択する）、スポーツ（動きの速い被写体を撮影したいときに選択する）、夜景（夕暮れや夜景を背景にして人物を撮影したいときに選択する）の６つのアイコンが表示される（ＳＴ２６）。
【００６２】
ここで、ユーザーがＬＣＤモニタ２１上の６つのアイコンのいずれかにタッチする（タッチパネル２２を操作する）か、十字キー１９により何れかを選択し十字エンターキーで決定すると、ＣＰＵ２３はいずれのアイコンが選択決定されたかを判断し（ＳＴ２７）、決定されたシーンモードにデジタルスチルカメラ１０を設定する（ＳＴ２８）。
【００６３】
又、ステップ２２（ＳＴ２２）の画面において、ストロボアイコンが決定された場合には（ＳＴ２４）、ＣＰＵ２３はストロボアイコンの一覧を表示する（ＳＴ２９）。
【００６４】
即ち、図１３のステップ２９に示した表示例では、ＬＣＤモニタ２１の中央上方から順に、オート（状況に応じて自動的にストロボが発光される）、発光禁止（ストロボは発光しない。ストロボの光が届かない距離の撮影に使用）、強制発光（必ずストロボが発光される。逆光、人工照明下での撮影に使用）、スローシンク（シャッタースピードを遅くして同時にストロボも発光する。被写体だけでなく背景もきれいに写したいときに使用）、赤目軽減強制発光、赤目軽減オートの６つのアイコンが表示される（ＳＴ２９）。
【００６５】
ユーザーがＬＣＤモニタ２１上に表示された６つのアイコンのいずれかにタッチする（タッチパネル２２を操作する）か、十字キー１９により何れかを選択し十字エンターキーで決定すると、ＣＰＵ２３はいずれのアイコンが決定されたかを判断し（ＳＴ３０）、決定されたストロボモードにデジタルスチルカメラ１０を設定する（ＳＴ３１）。
【００６６】
さらに、ステップ２２（ＳＴ２２）の画面において、セルフタイマーアイコンが決定された場合には（ＳＴ２５）、ＣＰＵ２３はセルフタイマーアイコンの一覧を表示する（ＳＴ３２）。
【００６７】
即ち、図１３のステップ３２に示した表示例では、ＬＣＤモニタ２１の中央上方から順に、オフ（セルフタイマーを設定しない）、２秒（２秒秒後に撮影される）、１０秒（１０秒後に撮影される）の３つのアイコンが表示される（ＳＴ３２）。
【００６８】
ユーザーがＬＣＤモニタ２１上の３つのアイコンのいずれかにタッチする（タッチパネル２２を操作する）か、十字キー１９により何れかを選択し十字エンターキーで決定すると、ＣＰＵ２３はいずれのアイコンが決定されたかを判断し（ＳＴ３３）、決定されたストロボモードにデジタルスチルカメラ１０を設定する（ＳＴ３４）。
【００６９】
以上のように、撮影モードにおける各種設定は、タッチパネル２２を操作して選択決定する方法と、十字キー１９を操作して選択決定する方法の２つが用意されており、ユーザーは自分の好みの方法により撮影モードにおける各種設定を行える。
【００７０】
次に、メニューキー５２によるメニューモードにおける処理を図１４の画面フローチャートに基づき説明する。
【００７１】
メニューキー５２が押されると、図６にて説明したように、ＣＰＵ３９は撮影メニュー，再生メニュー，セットアップメニューの選択画面が表示されている（ＳＴ５０）。
【００７２】
ここで、ユーザーがＬＣＤモニタ２１上の撮影メニュー，再生メニュー，セットアップメニューの３項目のいずれかにタッチする（タッチパネル２２を操作する）か、十字キー１９により何れかを選択し十字エンターキーで決定すると、ＣＰＵ２３はいずれの項目が決定されたかを判断し、決定されたメニュー項目の処理に移行する。
【００７３】
セットアップメニューが選択決定された場合には、サウンドのオン／オフを選択する画面を表示する（ＳＴ５１）。この画面中の左側のアイコンがサウンドオン、右側アイコンがサウンドオフであり、いずれかのアイコンにタッチする（タッチパネル２２を操作する）か、十字キー１９により何れかを選択し十字エンターキーで決定する。又、この画面中の上下の矢印部分にタッチする（タッチパネル２２を操作する）か、十字キー１９の上キー／下キーを操作することにより、画面を元に戻すか、次の設定画面へ移行するかが選択される。この操作は他のメニューにおいても同様である。
【００７４】
サウンド設定画面から次の設定画面へ移行すると、日時の設定画面が表示され（ＳＴ５２）
ユーザーが「設定する」を選択すると、年月日時刻の設定画面が表示される（ＳＴ５３）。年月日時刻の設定画面において変更したい部分を選択し、＋−アイコンを操作することで数値を変更し、最後に「ＯＫ」のアイコンを選択することにより日時の変更が行われる。
【００７５】
一方、上記ステップ５０（ＳＴ５０）にて撮影メニューが選択された場合には、カラー（撮影する画像のカラー設定）の設定画面が表示される（ＳＴ５４）。カラー設定画面では、撮影する画像のカラーを設定するために、画面の左から順に、カラー、白黒、セピアの３つのアイコンを表示し、アイコンのいずれかにタッチする（タッチパネル２２を操作する）か、十字キー１９により何れかを選択し十字エンターキーで決定することで、ユーザーによる選択が行われる。
【００７６】
カラー設定画面の次には、ＩＳＯ感度の設定画面が表示される（ＳＴ５５）。即ち、画面の左から順に、ＩＳＯ１００，ＩＳＯ２００，ＩＳＯ４００の３つのアイコンを表示し、アイコンのいずれかにタッチする（タッチパネル２２を操作する）か、十字キー１９により何れかを選択し十字エンターキーで決定することで、ユーザーが選択できるようにしている。
【００７７】
ＩＳＯ感度設定画面の次には、露出補正（絞りとシャッタースピードの組み合わせ）の設定画面が表示される（ＳＴ５６）。即ち、画面の中央に現在の補正値（初期設定は０）が表示されるとともに、その左右に＋，−のアイコンが表示され、＋，−のアイコンにタッチするか、十字キー（左右のキー）を操作して補正値の増減を行う。
【００７８】
露出補正の設定画面の次には、ホワイトバランスの設定画面が表示される（ＳＴ５７）。即ち、画面の中央に現在の設定（初期設定はオート）が表示されるとともに、その左右に矢印のアイコンが表示され、右側矢印のアイコンにタッチするか、十字キー（右のキー）を操作すると、オート→屋外→クールホワイト色蛍光灯下撮影→蛍光灯下撮影→白熱灯下撮影→くもり、の順で設定が変更される。左側矢印のアイコン並びに、十字キー（左のキー）の場合には上記とは逆の順となる。
【００７９】
ホワイトバランスの設定画面の次には、画質設定の設定画面が表示される（ＳＴ５８）。即ち、画面の中央左から順に、ハイクオリティ（画素数１６００×１２００）、スタンダード（画素数１２００×９００）、エコノミー（画素数８００×６００）の３つのアイコンが表示され、アイコンのいずれかにタッチする（タッチパネル２２を操作する）か、十字キー１９により何れかを選択し十字エンターキーで決定することで、ユーザーによる選択決定が行われる。
【００８０】
画質設定の設定画面の次には、プレビューの設定画面が表示される（ＳＴ５９）。即ち、画面の中央左から順にプレビューオン、プレビューオフの２つのアイコンが表示され、アイコンのいずれかにタッチする（タッチパネル２２を操作する）か、十字キー１９により何れかを選択し十字エンターキーで決定することで、ユーザーによる選択決定が行われる。
【００８１】
プレビューの設定画面の次には、液晶の明るさの設定画面が表示される（ＳＴ６０）。即ち、画面の中央左から順に、暗め、通常、明るめの３つのアイコンが表示され、アイコンのいずれかにタッチする（タッチパネル２２を操作する）か、十字キー１９により何れかを選択し十字エンターキーで決定することで、ユーザーによる選択決定が行われる。
【００８２】
さらに、上記ステップ５０（ＳＴ５０）にて再生メニューが選択された場合には、再生時における液晶の明るさの設定画面が表示される（ＳＴ６１）。即ち、画面の中央左から順に、暗め、通常、明るめの３つのアイコンが表示され、アイコンのいずれかにタッチする（タッチパネル２２を操作する）か、十字キー１９により何れかを選択し十字エンターキーで決定することで、ユーザーが選択決定できるようにしている。
【００８３】
液晶の明るさ設定画面の次には、ＤＰＯＦ（Ｄｉｇｉｔａｌ　　Ｐｒｉｎｔ　Ｏｒｄｅｒ　Ｆｏｒｍａｔ）の設定画面が表示される（ＳＴ６２）。即ち、プリントのための情報をカードメディアに記録するか否かのアイコンが画面の中央に表示され、アイコンのいずれかにタッチする（タッチパネル２２を操作する）か、十字キー１９により何れかを選択し十字エンターキーで決定することで、ユーザーによる選択決定が行われる。
【００８４】
ＤＰＯＦ設定画面の次には、表示切換の設定画面が表示される（ＳＴ６３）。即ち、画面の中央左から順に、日時表示、フォルダ番号とファイル番号の表示、画質表示の３つのアイコンが表示され、アイコンのいずれかにタッチする（タッチパネル２２を操作する）か、十字キー１９により何れかを選択し十字エンターキーで決定することで、ユーザーによる選択決定が行われる。
【００８５】
表示切換の設定画面の次には、スライドショーの設定画面が表示される（ＳＴ６４）。即ち、スマートメディア１６に記憶されている画像を順番に表示する際の時間を設定するため、３秒（３秒間隔で画像を順番に表示）、１０秒（１０秒間隔で画像を順番に表示）の２つのアイコンが画面の中央に表示され、アイコンのいずれかにタッチする（タッチパネル２２を操作する）か、十字キー１９により何れかを選択し十字エンターキーで決定することで、ユーザーによる選択決定が行われる。
【００８６】
以上のように撮影メニュー，再生メニュー，セットアップメニューの設定においても、アイコンのいずれかにタッチする（タッチパネル２２を操作する）か、十字キー１９により何れかを選択決定することでメニューの設定決定が行えるため、ユーザーは自分の好みの方法により撮影モードにおける各種設定を行える。
【００８７】
次に、本発明の第２の実施形態を図１５及び図１６に基づき説明する。本発明の第２の実施形態のデジタルスチルカメラ２００は背面図を図１５に示すように基本的には第１形態と同様の構成を有するが、第１形態に係わるデジタルスチルカメラ１０にて採用していたズームキー１７とごみ箱キー５３を削除し、ズームボタン１０１を採用した点で相違している。
【００８８】
即ち、ズームボタン１０１を押すことにより、２倍→４倍→６倍→８倍→１倍と順次ズームをシフトさせるものである。
【００８９】
又、ごみ箱キー５３を削除した代わりに、再生モードにおいては図１６に示すように、サムネイルアイコン６１に加えて、ごみ箱アイコン１０２を表示する。そして、画像を削除する場合には、削除する画像を選択しＬＣＤモニタ２１に表示した状態でごみ箱アイコン１０２をタッチすることにより削除を指示する。
【００９０】
ごみ箱アイコン１０２がタッチされると、図１２と同様にＬＣＤモニタ２１の画面中央に「このファイルを削除しますか？」と表示し、ユーザーに確認を求め、この確認画面の状態で、ユーザーがごみ箱アイコン１０２を押すと当該画像のファイルは削除され、他のキーが押された場合には画像は削除されず、元の画像表示の状態に戻る。
【００９１】
この第２の実施形態においては上記のズームボタン１０１とごみ箱アイコン１０２を除いては図１乃至図１４にて説明した第１の実施形態と同一であるため、この同一部分についての説明は省略する。
【００９２】
以上説明した第１の実施形態、並びに、第２の実施形態は、何れも第１の操作手段としてのタッチパネル２２と、第２の操作手段としての十字キー１９とを備えたものである。
【００９３】
デジタルカメラのメモリーカードに保存された複数の画像の中から特定の画像を選択し、タッチパネル２２付きのＬＣＤモニタ２１に全画面で表示する際、若しくは、各種モードの設定を行う際には、前述したように十字キー１９を使用するばかりでなく、十字キー１９に替えて、タッチパネル２２を用いて同様の動作を実行することができる。
【００９４】
十字キー１９による操作と対比した場合、画面全体に表示したい画像のサムネイル画像に触れるだけ、又は、画面全体に表示したアイコンに触れるだけで操作が済むため、ユーザーはより少ないアクションで十字キー１９の場合と同じ動作を実行可能である。
【００９５】
タッチパネル２２に触れることによってタッチパネル２２付きのＬＣＤモニタ２１に付着する指紋等の汚れを好まないユーザーがいると考えられるが、上記の実施形態では前記汚れを好まないユーザーには十字キー１９による操作を提供することができる。
【００９６】
以上のように第１の実施形態、並びに第２の実施形態では複数のキーからなるボタン群とタッチパネルの両方をデジタルカメラの各機能を実行する手段とすることにより、ユーザーの好みにあった操作手段をユーザーが選択できるようにすることで、ユーザーにとっての操作性が向上する。
【００９７】
また、操作手段が複数存在することにより、任意の操作手段が故障などによって使用不可能になった場合にも少なくとも一つの操作手段が使用可能である限り前記機能を実行することができる。
【００９８】
次に、本発明の第３の実施形態を図１７乃至及び図２０に基づき説明する。
【００９９】
図１７は本発明の第３の実施形態係わるデジタルスチルカメラ３００の背面図を示し、図１８はデジタルスチルカメラ３００の平面図を示しており、このデジタルスチルカメラ３００にはモードダイアル３０１が設けられている点で、第１並びに第２の実施形態と相違している。尚、デジタルスチルカメラ３００は第１並びに第２の実施形態と同様に液晶表示部２４を有する。
【０１００】
即ち、第３の実施形態のデジタルスチルカメラ３００は第１形態における第１の操作手段としてのタッチパネル２２と、第２の操作手段としての十字キー１９とに加えて、第３の操作手段としてのモードダイアル３０１を有するものである。
【０１０１】
図１９は上記モードダイアル３０１の平面図であり、モードダイアル３０１には各種のモードが選択できるように割り当てられている。即ち、カメラの基本設定を行うＳＥＴ−ＵＰモード３０１ａ，音声の録音、再生のみを行うボイスレコードモード３０１ｂ，動画による撮影を行う動画モード３０１ｃ，絞りを優先して撮影する絞り優先モード３０１ｄ，シャッター速度を優先して撮影するシャッター速度優先３０１ｅ，自動的に露出等を制御して状況別に自動撮影を行うオート撮影モード３０１ｆ，画像の再生、消去、コピー、サイズ変更等を行う再生モード３０１ｇ，画像をパソコンに取り込むＰＣモード３０１ｈ等が割り当てられている。そして、このモードダイアル３０１を回転させることにより特定のモードが選択決定される。
【０１０２】
図２０はデジタルスチルカメラ３００の液晶表示部２４を示す図であり、液晶表示部２４はモードダイアル３０１により選択される各表示項目を表示する。
【０１０３】
即ち、図２０に示すように液晶表示部２４は左上から版時計回りに、バッテリ残量、ストロボ撮影、画像クオリティ、画像サイズ、セルフタイマー撮影、セルフタイマー時間、マクロ撮影、連続撮影、１ショット撮影、ボイスレコードモード、ボイスレコードモード時のモード表示の表示欄を有し、かつ、中央部にカウンタ表示欄を有し、現在選択されている項目、モードが表示される。
【０１０４】
カウンター表示欄は図２０に示すように時刻表示、撮影可能枚数表示、撮影可能時間（動画の場合）、ＰＣ（ＰＣモード）、録音／再生経過時間（ボイスレコードモード）の表示を行う。又、ボイスレコードモード時のモード表示欄は、再中、停止、一時停止、録音中の何れかの動作状態を表示する。ストロボ撮影表示欄は、オート、赤目強制発光、強制発光、発光禁止、スローシンクのうち現在選択されているモードを表示する。
【０１０５】
画像クオリティ表示欄は、撮影モードにおける画像クオリティとしてファイン、ノーマル、ベーシックのうち現在選択されているモードを表示する。画像サイズ表示欄は同様にハーフ／フルの画像の種別を表示し、セルフタイマー時間表示欄は、セルフタイマーの設定が２秒であるか１０秒であるかを表示する。バッテリ残量表示欄は現在のバッテリ残量を表示し、他の残りの表示欄は当該項目が選択されていると表示される。
【０１０６】
この第３の実施形態のデジタルスチルカメラ３００は第１形態における第１の操作手段としてのタッチパネル２２と、第２の操作手段としての十字キー１９とに加えて、第３の操作手段としてのモードダイアル３０１を有するものであり、モードダイアル３０１を操作し、その結果が液晶表示部２４に表示されるため、モードダイアル３０１にて選択可能な項目／モードについてはＬＣＤモニタ２１を使用せずとも操作が可能である。
【０１０７】
従って、第３の実施形態においては、万一ＬＣＤモニタ２１が故障したとしても主要な項目／モードについてはモードダイアル３０１から操作が可能となるという効果を奏する。
【０１０８】
以上説明したように、本発明の第１乃至第３の実施の形態は、デジタルスチルカメラの各機能を実行する操作手段が複数存在するため、ユーザーは前記複数の操作手段の中から自分に合った操作手段を選択して実行することができる。即ち、ユーザーは自分の好みに合った操作手段を自分で選択できるためユーザーにとっての操作性が向上する。
【０１０９】
また、操作手段が複数存在することにより、任意の操作手段が故障などによって使用不可能になった場合にも少なくとも一つの操作手段が使用可能である限り前記機能を実行することができるという効果を奏する。
【０１１０】
さらに、操作手段としてタッチパネルを用いることにより、タッチパネル上に提示された複数の項目中の特定項目に触れるという直感的かつ簡便な動作で他のボタン群と同様の機能を実行できる。
【０１１１】
【発明の効果】
以上の様に、本発明によれば、デジタルスチルカメラ等の撮影装置において複数の機能に対して、各々複数の操作手段を提供することによりユーザーの操作性を向上させることことができる。
【図面の簡単な説明】
【図１】本発明の第１の実施形態に係わるデジタルスチルカメラの正面図。
【図２】図１のデジタルスチルカメラの背面図。
【図３】図１のデジタルスチルカメラの平面図。
【図４】図１のデジタルスチルカメラの回路ブロック図。
【図５】図１のデジタルスチルカメラの操作パネル部分を示す図。
【図６】図１のデジタルスチルカメラにおけるキー操作を説明するフローチャート。
【図７】図１のデジタルスチルカメラにおけるモード切り替えを説明する図。
【図８】図１のデジタルスチルカメラにおける画像選択操作を説明する図。
【図９】図１のデジタルスチルカメラにおける画像選択操作を説明する図。
【図１０】図１のデジタルスチルカメラにおける画像表示例を説明する図。
【図１１】図１のデジタルスチルカメラにおいてタッチパネルによる画像選択操作を説明する図。
【図１２】図１のデジタルスチルカメラにおける画像消去操作を説明する図。
【図１３】図１のデジタルスチルカメラにおける撮影モードの各種設定操作を説明するフローチャート。
【図１４】図１のデジタルスチルカメラにおけるメニュー処理操作を説明するフローチャート。
【図１５】本発明の第２の実施形態に係わるデジタルスチルカメラの背面図。
【図１６】図１５のデジタルスチルカメラの操作パネル部分を示す図。
【図１７】本発明の第３の実施形態に係わるデジタルスチルカメラの背面図。
【図１８】図１７のデジタルスチルカメラの平面図。
【図１９】図１７のデジタルスチルカメラのモードダイヤルの拡大図。
【図２０】図１７のデジタルスチルカメラの液晶表示部の拡大図。
【符号の説明】
１０……デジタルスチルカメラ
１９……十字キー
２０……モードキー
２１……ＬＣＤモニタ
２２……タッチパネル
５１……ＯＳＤキー
５２……メニューキー
５３……ごみ箱キー
３０１……モードダイヤル
【図１】
2004032346.tif 000003
【図２】
2004032346.tif 000004
【図３】
2004032346.tif 000005
【図４】
2004032346.tif 000006
【図５】
2004032346.tif 000007
【図６】
2004032346.tif 000008
【図７】
2004032346.tif 000009
【図８】
2004032346.tif 000010
【図９】
2004032346.tif 000011
【図１０】
2004032346.tif 000012
【図１１】
2004032346.tif 000013
【図１２】
2004032346.tif 000014
【図１３】
2004032346.tif 000015
【図１４】
2004032346.tif 000016
【図１５】
2004032346.tif 000017
【図１６】
2004032346.tif 000018
【図１７】
2004032346.tif 000019
【図１８】
2004032346.tif 000020
【図１９】
2004032346.tif 000021
【図２０】
2004032346.tif 000022